(57)【要約】【課題】ガス絶縁開閉装置では、ローパスフィルタとして機能するブッシングを備えていないため、外部放電信号が減衰せず、外部ノイズに対し、真空バルブを内蔵した遮断器収納金属タンク外部に設置している外部アンテナよりも、遮断器収納金属タンク内部に設置している内部アンテナの方が感度良く検知してしまい、真空劣化を的確に検出できないという事象が発生している。【解決手段】真空バルブ４を内蔵した遮断器収納金属タンク２内に位置し、その内部の部分放電起因の電磁波を検出する内部アンテナ９と、遮断器収納金属タンク２外の外部放電による漏洩磁束を検知する位置に設けられた外部アンテナ１７と、内部アンテナ９で検知された電磁波の強度と外部アンテナ１７で検知された電磁波の強度を比較し、外部ノイズと真空バルブ４の部分放電とを区別する判定部とを設けた。【選択図】図１
2017208913.tif 000002
【特許請求の範囲】
【請求項１】
真空バルブが内蔵されて絶縁ガスが封入され接地電位にある真空バルブ収納タンクと、前記真空バルブに対する接続導体とを有するガス絶縁開閉装置において、前記真空バルブ収納タンクの内部に位置し、その内部の部分放電に起因する電磁波を検出する第一のアンテナと、前記真空バルブ収納タンクの外部に位置し、前記接続導体を伝播する外部ノイズ信号に起因する電磁波を検出する第二のアンテナとを備え、前記第一のアンテナによる検出信号と前記第二のアンテナによる検出信号とを比較して前記真空バルブの部分放電による真空劣化を判定する判定部を設けたことを特徴とするガス絶縁開閉装置の劣化監視装置。
【請求項２】
前記真空バルブ収納タンクに設けられる前記接続導体が、外部回路と、表面に接地層を設けた絶縁物で被覆された中心導体を介して接続されるものにおいて、前記絶縁物の一部の表面が露出し前記接地層に覆われていない絶縁物露出部を設け、前記絶縁物露出部に対して前記第二のアンテナを設置したことを特徴とする請求項１に記載のガス絶縁開閉装置の劣化監視装置。
【請求項３】
前記第二のアンテナをループ部が設けられたループ型アンテナとし、このループ型アンテナを前記外部ノイズ信号による電磁波が前記ループ部を垂直に横切る方向に設置するようにしたことを特徴とする請求項２に記載のガス絶縁開閉装置の劣化監視装置。
【請求項４】
前記第二のアンテナを空芯コイルが設けられた空芯型アンテナとし、この空芯型アンテナを前記外部ノイズ信号に起因する電磁波が前記空芯コイル内を通過するように設置したことを特徴とする請求項２に記載のガス絶縁開閉装置の劣化監視装置。
【請求項５】
前記真空バルブ収納タンクに設けられた前記真空バルブに対する前記接続導体が、前記真空バルブ収納タンク外部に設けられて接地電位にありトランス直結絶縁スペーサを介してトランス収納タンクと連接されるガス絶縁母線収納タンク内に設置されたガス絶縁母線導体部に接続されるものにおいて、前記ガス絶縁母線導体部は、前記トランス直結絶縁スペーサの中心導体を介してトランス側導体に接続されるとともに、前記ガス絶縁母線収納タンクの外部であって、かつ前記トランス直結絶縁スペーサに対向して前記第二のアンテナを設置したことを特徴とする請求項１に記載のガス絶縁開閉装置の劣化監視装置。
【請求項６】
前記ガス絶縁母線収納タンクの外部であって、かつ前記トランス直結絶縁スペーサ近傍にループ部が設けられたループ型アンテナを前記外部ノイズ信号に起因する電磁波が前記ループ部を垂直に横切る方向に設置するようにしたことを特徴とする請求項５に記載のガス絶縁開閉装置の劣化監視装置。
【請求項７】
前記ガス絶縁母線収納タンクの外部であって、かつ前記トランス直結絶縁スペーサに対向して空芯コイルが設けられた空芯型アンテナを前記外部ノイズ信号による電磁波が前記空芯コイル内を通過するように設置したことを特徴とする請求項５に記載のガス絶縁開閉装置の劣化監視装置。
【請求項８】
前記真空バルブ収納タンクの内部導体が、前記真空バルブ収納タンク外部に設けられた接地電位にある前記ガス絶縁母線収納タンク内に設置されたガス絶縁母線導体部に接続されるものにおいて、前記ガス絶縁母線収納タンクの蓋のタンク内部側に、前記第二のアンテナを設置したことを特徴とする請求項５に記載のガス絶縁開閉装置の劣化監視装置。
【請求項９】
前記ガス絶縁母線収納タンクの蓋のタンク内部側に設置された前記第二のアンテナは、蓋と一体型のループアンテナとしたことを特徴とする請求項８に記載のガス絶縁開閉装置の劣化監視装置。
【請求項１０】
前記真空バルブ収納タンクの内部導体が、外部回路と、絶縁物で被覆された中心導体を介して接続されるものにおいて、前記絶縁物内部に前記第二のアンテナを設置するようにしたことを特徴とする請求項１に記載のガス絶縁開閉装置の劣化監視装置。
【請求項１１】
内部アンテナからの検出出力を検出する第一の真空劣化監視部、外部アンテナからの検出出力を検出する第二の真空劣化監視部、ならびに前記第一および第二の真空劣化監視部からの検出信号を比較し、異常判定する判定部を備え、前記第一の真空劣化監視部、前記第二の真空劣化監視部は、アンテナ検出部からの信号から特定周波数のみを抽出する周波数フィルタ、前記周波数フィルタを通過した信号を増幅するアンプ、波高値を抽出する検波回路をそれぞれ備えており、前記判定部は、前記第一および第二の真空劣化監視部からの検出信号を比較するコンパレータ回路、前記コンパレータ回路の比較結果をパルスとして出力するパルス出力部、前記パルス出力部からのパルス数をカウントするパルスカウンター、前記パルスカウンターからの放電頻度が所定の閾値を超える場合に真空劣化であることを判定する判定回路、前記判定回路での結果を表示する真空劣化監視異常出力部とを備えることを特徴とする請求項１に記載のガス絶縁開閉装置の劣化監視装置。
【発明の詳細な説明】
【技術分野】
【０００１】
この発明は、全体を覆う接地電位にある金属製筐体の中に接地電位にあり絶縁ガスが封入され、高電圧導体や真空バルブなどが内蔵されている金属製タンクを有するガス絶縁開閉装置の劣化監視装置に関し、特に、真空バルブからなる回路遮断器を備えたガス絶縁開閉装置の絶縁・真空劣化監視装置に関する。
【背景技術】
【０００２】
ガス絶縁開閉装置は、開閉機器の主回路部を収納するために密閉された金属製タンクが、全体を覆う接地電位にある矩形の接地金属箱の中に収納されており、金属製タンク内には、ＳＦ６ガス、ドライエアなどの絶縁性ガスが充填された絶縁ガス雰囲気となっている。
前記金属製タンクには、真空遮断器が設置されており、真空遮断器内の真空バルブの亀裂などで真空劣化、すなわち真空度が低下することで、真空バルブ内の耐電圧性能が低下し、絶縁及び遮断性能の維持ができなくなる。そこで、真空バルブ内の真空の劣化を監視する手段が求められる。
【０００３】
ガス絶縁開閉装置において、真空遮断器の真空度を監視する手法の一つとして、真空バルブ内で発生する部分放電の電磁波をアンテナによって検知する手法がある（例えば特許文献１参照）。ところで、部分放電の電磁波を検知する手法は一般的であり、ガス絶縁開閉装置では５００ＭＨz 〜１５００ＭＨz 程度の放電周波数成分を検知しており、一般に高い周波数帯ほど放送波や、他の機器から発生するノイズの影響が小さいため、高周波数帯を選択することで、外来ノイズによる誤動作を回避している。
【０００４】
一方、低真空中の部分放電の周波数は、上記と比べ低いことが知られており、放送波や、他の機器から発生するノイズによる誤動作を避けるために、外来ノイズとの分離手法が必要となる。
【先行技術文献】
【特許文献】
【０００５】
【特許文献１】特許第５８１９０１２号公報
【発明の概要】
【発明が解決しようとする課題】
【０００６】
上記特許文献１では、真空バルブを内蔵する真空遮断器において、金属製タンク内部に真空バルブの部分放電に起因する電磁波を測定する第一のアンテナと、金属製タンク外部に外のノイズに起因する電磁波を測定する第二のアンテナを有し、第一のアンテナ、第二のアンテナで検知された電磁波の強度を比較することにより、真空バルブの真空劣化を判定する判定部を備えているのに加え、真空バルブの接続線を特定周波数以上の高周波成分を通しにくいローパスフィルタ（１００ＭＨz 以下を通過）として機能するブッシングを備えることにより、第一のアンテナ、第二のアンテナの電磁波強度差による外来ノイズ分離の精度を高めている。
【０００７】
一方、ガス絶縁開閉装置では、一般的に上記ローパスフィルタとして機能するブッシングを備えていないため、外部放電信号が減衰せず、外部ノイズが、金属製遮断器タンク外部に設置している第二のアンテナよりも、金属製タンク内部に設置している第一のアンテナの方が感度良く検知するという事象が発生している。そのため、第二のアンテナの設置位置や、構造を最適化することによる感度の向上が課題となっている。
【課題を解決するための手段】
【０００８】
この発明に係るガス絶縁開閉装置の劣化監視装置は、真空バルブが内蔵されて絶縁ガスが封入され接地電位にある真空バルブ収納タンクと、前記真空バルブに対する接続導体とを有するガス絶縁開閉装置において、前記真空バルブ収納タンクの内部に位置し、その内部の部分放電に起因する電磁波を検出する第一のアンテナと、前記真空バルブ収納タンクの外部に位置し、前記接続導体を伝播する外部ノイズ信号に起因する電磁波を検出する第二のアンテナとを備え、前記第一のアンテナによる検出信号と前記第二のアンテナによる検出信号とを比較して前記真空バルブの部分放電による真空劣化を判定する判定部を設けたものである。
【発明の効果】
【０００９】
この発明によれば、真空バルブ収納タンクの外部に設置している第二のアンテナの感度を向上させることができるため、外部ノイズ由来の電磁波を、第二のアンテナよりも真空バルブ収納タンクの内部に設置している第一のアンテナの方が感度良く検知してしまうことを防ぐことによって、真空バルブ収納タンク内で発生した部分放電と外部放電による外部ノイズの分離が可能となる。
【図面の簡単な説明】
【００１０】
【図１】この発明に係る実施の形態１におけるガス絶縁開閉装置の側断面図である。
【図２】この発明に係る実施の形態１における図１のガス絶縁開閉装置の破線部Ａの詳細図である。
【図３】この発明に係る実施の形態１における図１のガス絶縁開閉装置の破線部Ａの変形例の詳細図である。
【図４】この発明に係る実施の形態２におけるガス絶縁開閉装置の側断面図である。
【図５】この発明に係る実施の形態２における図４のガス絶縁開閉装置の破線部Ｂの詳細図である。
【図６】この発明に係る実施の形態２における図４のガス絶縁開閉装置の破線部Ｂの変形例の詳細図である。
【図７】この発明に係る実施の形態３におけるガス絶縁開閉装置の側断面図である。
【図８】この発明に係る実施の形態３における図７のガス絶縁開閉装置の破線部Ｃの詳細図である。
【図９】この発明に係る実施の形態３における図７のガス絶縁開閉装置の破線部Ｃのアンテナ部詳細図である。
【図１０】この発明に係る実施の形態４における図１のガス絶縁開閉装置の破線部Ａの詳細図である。
【図１１】この発明に係る実施の形態１〜４におけるガス絶縁開閉装置の真空劣化監視手段の構成を示すブロック図である。
【発明を実施するための形態】
【００１１】
実施の形態１．
この発明に係る実施の形態１を図１、図２、図３および図１１に基づいて説明する。図１はこの発明における実施形態１に係るガス絶縁開閉装置の概略側断面図である。図２は、図１の破線部Ａの拡大図である。また、図３は変形例の図１の破線部Ａに対応する拡大図である。
全体を覆う接地電位にある矩形の外側接地金属箱（金属製筐体）１内の下段には、接地電位にある遮断器収納金属タンク２が配置されている。前記遮断器収納金属タンク２はＳＦ６ガス、ドライエア、窒素ガスまたは空気などの絶縁性ガスが充填された絶縁ガス雰囲気となっている。矩形の外側接地金属箱１内の上段には、接地電位にある母線収納金属タンク３が配置されている。前記母線収納金属タンク３も遮断器収納金属タンク２と同様にＳＦ６ガス、ドライエア、窒素ガスまたは空気などの絶縁性ガスが充填された絶縁ガス雰囲気となっている。
遮断器収納金属タンク２内部の主回路には、主に真空バルブ４、区画ブッシング１３やケーブルブッシング１６まで繋がる導体６ａ，６ｂで構成されており、母線収納金属タンク３内部の主回路は、断路器１１、三相の母線１０、区画ブッシング１３から断路器１１に繋がる導体６ｃ、及び断路器１１から三相の母線１０に繋がる導体１０ａで構成されている。遮断器収納金属タンク２の端面には、内部に内蔵された遮断器の操作機構１４が設けられ、母線収納金属タンク３の端面には、内部に内蔵された断路器の操作機構１２が設けられている。
また、遮断器収納金属タンク２には絶縁物であるケーブルブッシング１６が設置されており、ケーブルブッシング１６内部には導体１６ｃがあり、ケーブルブッシング１６に外部機器と接続しているケーブル１８を接続することで、外部機器とガス絶縁開閉器１内の主回路が繋がる。外部機器と接続しているケーブル１８の表面はケーブル接地表面１８ａで覆われている。
【００１２】
ここで、遮断器収納金属タンク２内には、第一のアンテナ９（以下、内部アンテナとも呼ぶ）が設置されており、真空バルブ４の真空劣化などで部分放電７が生じると放射された電磁波を検知する。また、タンク外部の絶縁物で被覆された導体１６ｃを有するケーブルブッシング１６の表面は接地層部１６ａと前記絶縁物の一部が露出し接地層部１６ａに覆われていない絶縁物露出部である非接地層部１６ｂから構成されている。外部放電１９起因の電磁波は、外部機器接続ケーブル導体部１８ｂからケーブルブッシング１６内の中心導体１６ｃを伝搬し、ケーブルブッシング非接地層部１６ｂでは、導体１６ｃを中心として、同心円上に漏洩電磁波２５が発生する（図２参照）。そこで、漏洩部近傍において接地層部１６ａに覆われていない絶縁物露出部である非接地層部１６ｂに対して第二のアンテナ１７（以下、外部アンテナとも呼ぶ）を設置することで、電磁波の検知を行う。
【００１３】
さらに、漏洩電磁波２５に対し、ループ型のアンテナを面が直交する箇所に設置することで、電磁波の磁束の変化により発生するループ部の起電力を検出することによって、感度良く外部放電１９を検知する。すなわち、図２に示すように、ループ型アンテナ１７ａを漏洩電磁波２５に対して垂直に設置する。
また、図３に示すように、空芯コイル型アンテナ１７ｂをケーブルブッシング１６の非接地層部１６ｂの周囲に巻きつける形態で設置する。すなわち、外部放電による磁界が空芯コイル内を通過するように設置する。内部アンテナ９、外部アンテナ１７で検知した信号は、絶縁真空劣化監視手段１５に送られ、判定される。
【００１４】
次に、このアンテナを用いた絶縁真空劣化監視手段１５の動作について、図１１を用いて説明する。図１１は絶縁真空劣化監視手段１５の構成を示すブロック図である。
内部アンテナ９で受信した放電信号は、第一の真空劣化監視部２７に加えられる。一方、外部アンテナ１７で受信した放電信号は、第二の真空劣化監視部２８に加えられる。第一の真空劣化監視部２７、第二の真空劣化監視部２８の出力は、判定部２９に送られ、処理される。
以下に、第一の真空劣化監視部２７、第二の真空劣化監視部２８の詳細について説明する。内部アンテナ９で、受信した放電信号は、内部アンテナ検出部２７ａで検出され、バンドパスフィルタである周波数フィルタ２７ｂで特定周波数（ここでは、５００ＭＨz 以下）のみが抽出される。同様に外部アンテナ１７で受信した放電信号は、外部アンテナ検出部２８ａで検出され、同じくバンドパスフィルタである周波数フィルタ２８ｂで特定周波数（ここでは、５００ＭＨz 以下）のみが抽出される。
【００１５】
これらの信号は、それぞれアンプ２７ｃ，２８ｃで増幅され、検波回路２７ｄ，２８ｄによって波高値が抽出され、コンパレータ回路２９ａによりそれぞれが比較される。コンパレータ回路２９ａでは下記のように信号の大小を比較し、タンク内外放電の切り分けを行う。
（外部ノイズの場合）
内部アンテナ９の出力＜外部アンテナ１７の出力
（タンク内の部分放電の場合）
内部アンテナ９の出力＞外部アンテナ１７の出力
そして、強度比較から、タンク２内の真空バルブ４の接触子７ａ、７ｂ間の部分放電５と判定された場合、コンパレータ回路２９ａの出力から、タンク内の部分放電５の電磁波強度の比較結果をパルス出力部２９ｂでパルスとして出力し、パルスカウンター２９ｃでパルス数をカウントすることによって放電の継続性や、放電頻度が所定の閾値を超える場合に、判定回路２９ｄによって真空劣化であることを判定し、真空劣化監視異常出力部２９ｅにて、その結果を表示する。
【００１６】
この発明に係る実施の形態１におけるガス絶縁開閉装置の劣化監視装置では、全体を覆う接地電位にある矩形の外側金属製容器からなる筐体１の中に、接地電位にあり絶縁ガスが封入され、真空バルブ４と、真空バルブ４に対する接続導体としての高電圧導体６ａ，６ｂ，６ｃとが内蔵されている金属製の真空バルブ収納タンク２と、接地電位にある母線収納金属製の母線収納タンク３とを有するガス絶縁開閉装置において、前記真空バルブ収納タンク２の内部に位置し、その内部の部分放電起因の電磁波を検出する内部アンテナ９からなる第一のアンテナと、前記真空バルブ収納タンク２の外部に位置し、外部放電による外部ノイズ起因の電磁波を検知する位置に設けた外部アンテナ１７からなる第二のアンテナとを備え、前記第一のアンテナの検出部で検知された電磁波の強度と、前記第二のアンテナの検出部で検知された電磁波の強度を比較し、第一のアンテナの検出部で検知された電磁波の強度が、第二のアンテナの検出部で検知された電磁波の強度より小さい場合は外部ノイズと判定し、第一のアンテナの検出部で検知された電磁波の強度が、第二のアンテナの検出部で検知された電磁波の強度より大きい場合は、前記真空バルブ４の部分放電による真空劣化と判定する判定部を設けたものである。
この構成により、真空バルブ収納タンクの外部に設置している第二のアンテナの感度を向上させることができるため、外部ノイズ由来の電磁波を、第二のアンテナよりも真空バルブ収納タンク内部に設置している第一のアンテナの方が感度良く検知してしまうことを防ぐことによって、真空バルブ収納タンク内で発生した部分放電と外部放電による外部ノイズの分離が可能となる。
【００１７】
実施の形態２．
この発明の実施の形態２を図４、図５、及び図６に基づいて説明する。図４はこの発明の実施形態２に係るガス絶縁開閉装置の概略側断面図である。図５は図４の破線部Ｂの拡大図である。また、図６は図４の破線部Ｂの変形例の拡大図である。
全体を覆う接地電位にある矩形の外側接地金属箱１内の下段に、接地電位にある遮断器収納金属タンク２が配置される。前記遮断器収納金属タンク２はＳＦ６ガス、ドライエア、窒素ガスまたは空気などの絶縁性ガスが充填された絶縁ガス雰囲気となっている。
矩形の外側接地金属箱１内の上段には、接地電位にある母線収納金属タンク３が配置されている。前記母線収納金属タンク３も遮断器収納金属タンク２と同様にＳＦ６ガス、ドライエア、窒素ガスまたは空気などの絶縁性ガスが充填された絶縁ガス雰囲気となっている。
【００１８】
遮断器収納金属タンク２内部の主回路には、主に真空バルブ４、区画ブッシング１３や区画絶縁物８まで繋がる導体６ａ，６ｂで構成されており、母線収納金属タンク３内部の主回路は、断路器１１、三相の母線１０、区画ブッシング１３から断路器１１に繋がる導体６ｃおよび断路器１１から三相の母線１０に繋がる導体１０ａで構成されている。金属タンク２の端面には、内部に内蔵された遮断器の操作機構１４が設けられ、母線収納金属タンク３の端面には、内部に内蔵された断路器の操作機構１２が設けられている。また、遮断器収納金属タンク２には中心導体８ａを有する区画絶縁物８を介してガス絶縁母線収納タンク２０ａに連接した構造体として接続されており、ガス絶縁母線収納タンク２０ａはトランス直結絶縁スペーサ２３を介してトランスタンク２１に連接した構造体として接続されている。ガス絶縁母線収納タンク２０ａは上部蓋２４を備えている。
【００１９】
また、遮断器収納タンク２内の主回路導体６ｂは、区画絶縁物８の中心導体８ａを介してガス絶縁母線導体２０ｂに接続されており、ガス絶縁母線導体２０ｂは、トランス直結絶縁スペーサ２３の中心導体２３ａを介して外部機器であるトランス側主回路導体２２に接続される。トランス直結絶縁スペーサ２３は中心導体２３ａと非接地絶縁物２３ｂで構成されており、ガス絶縁母線２０ｂと外部機器であるトランスを区画する役割をしている。
【００２０】
次いで、このアンテナを用いた真空劣化異常検出の動作について説明する。外部放電起因の放電１９による電磁波は、トランス側主回路導体２２から、トランス直結絶縁スペーサ２３の中心導体２３ａを伝搬し、中心導体２３ａを中心として、同心円上にタンク外部に漏洩する。そこで、漏洩部近傍に外部アンテナを設置することで、電磁波の検知を行う。
さらに、漏洩電磁波２５に対し、ループ型のアンテナ１７ａを面が直交する箇所に設置することで、電磁波の磁束の変化によって発生するループ部の起電力を検出する。このようにすることによって感度良く外部放電を検知する。なお、漏洩電磁波２５に対し、磁界を面が横切る構造のアンテナを設置することで、外部放電を感度良く検知することができる。例えば、図５のループ型アンテナ１７ａを漏洩電磁波２５に対して垂直に設置することや、図６の空芯コイル型アンテナ１７ｂをトランス直結絶縁スペーサ２３の周囲に巻きつける形態で設置する。
なお、内部アンテナ９、外部アンテナ１７で検知した放電信号については、実施の形態１で図１１を用いて説明した場合と同様に処理される。
【００２１】
実施の形態３．
この発明の実施の形態３を図７、図８及び図９に基づいて説明する。図７はこの発明の実施形態３に係るガス絶縁開閉装置の概略側断面図である。図８は、図７の破線部Ｃの拡大図であり、図９は、ループアンテナの詳細図である。
全体を覆う接地電位にある矩形の外側接地金属箱１内の下部には、接地電位にある遮断器収納金属タンク２が配置される。前記遮断器収納金属タンク２はＳＦ６ガス、ドライエア、窒素ガスまたは空気などの絶縁性ガスが充填された絶縁ガス雰囲気となっている。矩形の外側接地金属容器１内の上段には接地電位にある母線収納金属タンク３が配置される。前記母線収納金属タンク３も遮断器収納金属タンク２と同様にＳＦ６ガス、ドライエア、窒素ガスまたは空気などの絶縁性ガスが充填された絶縁ガス雰囲気となっている。
【００２２】
遮断器収納金属タンク２内部の主回路には、主に真空バルブ４、区画ブッシング１３や区画絶縁物８まで繋がる導体６ａ、６ｂで構成されており、母線収納金属タンク３内部の主回路は、断路器１１、三相の母線１０、区画ブッシング１３から断路器１１に繋がる導体６ｃ、及び断路器１１から三相の母線１０に繋がる導体１０ａで構成されている。金属タンク２の端面には、内部に内蔵された遮断器の操作機構１４が設けられ、母線収納金属タンク３の端面には、内部に内蔵された断路器の操作機構１２が設けられている。
また、遮断器収納金属タンク２には中心導体８ａを有する区画絶縁物８を介してガス絶縁母線収納タンク２０ａに接続されており、ガス絶縁母線収納タンク２０ａはトランス直結絶縁スペーサ２３を介してトランスタンク２１に接続されている。また、遮断器収納タンク２内の主回路導体６ｂは、区画絶縁物８の中心導体８ａを介してガス絶縁母線導体２０ｂに接続されており、ガス絶縁母線導体２０ｂは、トランス直結スペーサ２３の中心導体２３ａを介して外部機器であるトランス側主回路導体２２に接続される。
【００２３】
次いで、このアンテナを用いた真空劣化異常検出の動作について説明する。外部放電１９起因の電磁波は、トランス側主回路導体２２から、トランス直結絶縁スペーサ２３を介して、ガス絶縁母線導体２０ｂに伝搬される。ガス絶縁母線収納タンク２０ａ内では導体２０ｂを中心として、同心円上に電磁波が発生すると考えられ、遮断器収納タンク２の外部のガス絶縁母線収納タンク２０ａ上部に外部アンテナを設置することで外来ノイズ起因の電磁波を検知する。
さらに、図９に示すように、外部アンテナの構造を、ガス絶縁母線収納タンク２０ａの金属蓋２６ａとループアンテナ２６ｂを一体にした蓋一体型ループアンテナ２６とし、蓋一体型ループアンテナ２６を同心円上に発生する電磁波とループ面が直交する箇所に設置する。このようにすることで、電磁波の磁束の変化によって発生するループ部の起電力を検出することで、感度良く外部放電を検知することができる。金属蓋２６ａとループアンテナ２６ｂが一体型とすることにより、ループアンテナの機能を保ちつつ小型化が可能となる。
なお、内部アンテナ９、外部アンテナ２６で検知した放電信号については、実施の形態１で図１１を用いて説明した場合と同様に処理される。
【００２４】
実施の形態４．
この発明の実施の形態４を図１０に基づいて説明する。実施の形態１では遮断器収納タンク２には中心導体１６ｃを有する絶縁物であるケーブルブッシング１６が設置されており、ケーブルブッシング１６の表面は、接地層部１６ａと非接地層部１６ｂから構成されていることを前提としているのに対し、実施の形態４では、遮断器収納タンク２に中心導体３１を有する絶縁物であるケーブルヘッド３０が設置されており、ケーブルヘッド３０の表面の限定はない。
ケーブルヘッド３０の絶縁物内部に外部アンテナ１７ｃを設置することで、ケーブルから中心導体３１に伝搬する外来ノイズ起因の電磁波を検知する。ここで、内部アンテナ９、外部アンテナ１７で検知した放電信号については、実施の形態１で図１１を用いて説明した場合と同様に処理される。
【００２５】
なお、本発明は、その発明の範囲内において、各実施の形態の一部または全部を自由に組み合わせたり、各実施の形態を適宜、変形、省略することが可能である。
【符号の説明】
【００２６】
１  外側接地金属容器（筐体）、２  遮断器収納金属タンク（真空バルブ収納タンク）、３  母線収納金属タンク、４  真空バルブ、５  部分放電、６ａ、６ｂ、６ｃ  主回路導体、７ａ、７ｂ  接触子、８  区画絶縁物、８ａ  区画絶縁物内部導体、９  内部アンテナ（第一のアンテナ）、１０  三相の母線、１０ａ  母線導体、１１  断路器、１２  断路器操作機構、１３  区画ブッシング、１３ａ  区画ブッシング内部導体、１４  遮断器操作機構、１５  絶縁真空劣化監視手段、１６  ケーブルブッシング、１６ａ  ケーブルブッシング表面接地層、１６ｂ  ケーブルブッシング非接地表面（絶縁物露出部）、１６ｃ  ケーブルブッシング内中心導体、１７  外部アンテナ（第二のアンテナ）、１７ａ  ループアンテナ、１７ｂ  空芯コイルアンテナ、１７ｃ  絶縁物内部アンテナ、１８  ケーブル、１８ａ  ケーブル接地表面、１８ｂ  ケーブル導体部、１９  外部放電、２０ａ  ガス絶縁母線収納タンク、２０ｂ  ガス絶縁母線導体部、２１  トランス収納タンク、２２  トランス導体部、２３  トランス直結絶縁スペーサ、２３ａ  トランス直結スペーサ導体部、２３ｂ  トランス直結スペーサ絶縁物部、２４  ガス絶縁母線収納タンク２０ａの上部蓋、２５  漏洩電磁波、２６  蓋一体型ループアンテナ、２６ａ  蓋一体型ループアンテナの蓋部、２６ｂ  蓋一体型ループアンテナのアンテナ部、２７  第一の真空劣化監視部、２７ａ  内部アンテナ検出部、２７ｂ  周波数フィルタ、２７ｃ  アンプ、２７ｄ  検波回路、２８  第二の真空劣化監視部、２８ａ  外部アンテナ検出部、２８ｂ  周波数フィルタ、２７ｃ  アンプ、２７ｄ  検波回路、２９  判定部、２９ａ  コンパレータ回路、２９ｂ  パルス出力部、２９ｃ  パルスカウンター、２９ｄ  判定回路、２９ｅ  真空劣化異常検出部、３０  ケーブルヘッド、３１  ケーブルヘッド内中心導体。
【図１】
2017208913.tif 000003
【図２】
2017208913.tif 000004
【図３】
2017208913.tif 000005
【図４】
2017208913.tif 000006
【図５】
2017208913.tif 000007
【図６】
2017208913.tif 000008
【図７】
2017208913.tif 000009
【図８】
2017208913.tif 000010
【図９】
2017208913.tif 000011
【図１０】
2017208913.tif 000012
【図１１】
2017208913.tif 000013